(57)【要約】【課題】指定した決済端末とは異なる決済端末で決済されることを防止できる決済端末、決済処理システム、及びプログラムを提供する。【解決手段】決済端末１４は、上位端末１２との接続の確認を促す情報を画面に表示する表示部３１０と、接続に対する確認キーの入力を受け付ける入力部３１２と、確認キーの入力に基づいて上位端末との連動を開始するように制御する制御部３０２を備える。【選択図】図１
2019152982.tif 000002
【特許請求の範囲】
【請求項１】
金額を決定する複数の上位端末のいずれかと通信により接続して前記決定された金額の決済に関する処理を行う決済端末であって、
前記上位端末との接続の確認を促す情報を画面に表示する表示部と、
前記接続に対する所定のキーの入力を受け付ける入力部と、
前記所定のキーの入力に基づいて前記上位端末との連動を開始するように制御する制御部と、
を備える決済端末。
【請求項２】
前記上位端末との接続状況に応じて音を報知する報知部、を更に含む請求項１に記載の決済端末。
【請求項３】
前記制御部は、前記所定のキーの入力を受け付けることにより、前記報知部の前記音の報知を停止するように制御する請求項２に記載の決済端末。
【請求項４】
前記報知部は、接続する前記上位端末に対応付けられた音を報知する請求項２又は請求項３に記載の決済端末。
【請求項５】
前記入力部は、接続する前記上位端末に対応する認証情報と共に、前記所定のキーの入力を受け付け、
前記制御部は、前記入力された認証情報が正しいか否かを判定し、正しい場合に前記上位端末との連動を開始するように制御する請求項１〜４の何れか１項に記載の決済端末。
【請求項６】
前記制御部は、入力された前記認証情報が正しくなかった場合、正しい前記認証情報の入力を促す情報を表示部に表示するように制御する請求項５に記載の決済端末。
【請求項７】
前記上位端末との通信が開始されてから、前記上位端末との連動が開始されるまで、前記上位端末に関する情報を前記表示部の画面に表示する請求項１〜７の何れか１項に記載の決済端末。
【請求項８】
金額を決定する複数の上位端末と、前記上位端末のいずれかと通信により接続して前記決定された金額の決済に関する処理を行う複数の決済端末と、決済を実行する情報処理センタとを備える決済処理システムであって、
前記決済端末は、
前記上位端末との接続の確認を促す情報を画面に表示する表示部と、
前記接続に対する所定のキーの入力を受け付ける入力部と、
前記所定のキーの入力に基づいて前記上位端末との連動を開始するように制御する制御部と、
を備える決済処理システム。
【請求項９】
コンピュータを、請求項１〜請求項６のいずれか１項に記載の決済端末の各部として機能させるためのプログラム。
【発明の詳細な説明】
【技術分野】
【０００１】
本発明は、決済端末、決済処理システム、及びプログラムに係り、特に、上位端末と無線により連動した決済端末で決済するための決済端末、決済処理システム、及びプログラムに関する。
【背景技術】
【０００２】
従来より、クレジット等の決済をする決済端末が、金額を入力する上位端末（ＰＯＳなど）と連動する決済処理システムがある。
【０００３】
また、決済端末と複数の接続装置とを組み合わせて使用する決済処理システムがある（特許文献１参照）。
【先行技術文献】
【特許文献】
【０００４】
【特許文献１】特開２０１６−１６２３５５号公報
【発明の概要】
【発明が解決しようとする課題】
【０００５】
従来の決済処理システムにおいて、決済を行う際は決済端末と上位端末とは１対１の組み合わせで使用されることが想定されていた。例えば、図１０に示すように、同一店舗内に一台の上位端末と一台の決済端末が存在する場合である。しかし、同一店舗内に複数台の上位端末と複数台の決済端末が存在し、上位端末が任意の決済端末に接続可能な構成の場合、いずれの決済端末に接続されたかを判別することが困難である、という問題があった。
【０００６】
例えば、図１に示すように、上位端末のＰＯＳ（Point of Sale）端末が３台、決済端末が３台といった複数の端末によって構成される店舗において、上位端末が任意の決済端末に接続した場合、複数の決済端末が存在することから、全ての決済端末の接続状況を確認しなければならず、いずれの決済端末に接続されたかを判別することが困難な状況であった。また、判別が困難なため、接続された決済端末が複数同時にあった場合には、決済端末を取り違えてしまい、指定した決済端末とは異なる決済端末で決済されてしまう事態が生じうるという問題があった。
【０００７】
本発明は、上記問題点を解決するために成されたものであり、上位端末で指定した決済端末とは異なる決済端末で決済されることを防止できる決済端末、決済処理システム、及びプログラムを提供することを目的とする。
【課題を解決するための手段】
【０００８】
上記目的を達成するために、本発明に係る決済端末は、金額を決定する複数の上位端末のいずれかと通信により接続して前記決定された金額の決済に関する処理を行う決済端末であって、前記上位端末との接続の確認を促す情報を画面に表示する表示部と、前記接続に対する所定のキーの入力を受け付ける入力部と、前記所定のキーの入力に基づいて前記上位端末との連動を開始するように制御する制御部と、を備える。
【０００９】
この発明によれば、上位端末との接続の確認を促す情報を画面に表示することにより、上位端末と接続した決済端末を、端末の操作者が識別及び確認した上で決済端末の連動を開始するため、上位端末で指定した決済端末とは異なる決済端末で決済されることを防止できる。
【００１０】
また、前記決済端末において、前記上位端末との接続状況に応じて音を報知する報知部、を更に含むようにしてもよい。
【００１１】
この発明によれば、上位端末との接続状況に応じて音を報知することで、上位端末といずれの決済端末が接続したのかが特定され、上位端末と決済端末との接続状況を把握しやすくなるため、上位端末で指定した決済端末とは異なる決済端末で決済されることを防止できる。
【００１２】
また、前記決済端末において、前記制御部は、前記所定のキーの入力を受け付けることにより、前記報知部の前記音の報知を停止するように制御するようにしてもよい。
【００１３】
この発明によれば、所定のキーを受け付けることで、上位端末といずれの決済端末が接続したのかを端末の操作者が確実に特定して、上位端末と決済端末との接続状況を把握するため、上位端末で指定した決済端末とは異なる決済端末で決済されることを防止できる。
【００１４】
また、前記決済端末において、前記報知部は、接続する前記上位端末に対応付けられた音を報知するようにしてもよい。
【００１５】
この発明によれば、上位端末に対応付けられた音を報知することで、決済端末側でいずれの上位端末からの接続があったかを把握できるため、上位端末と決済端末との接続関係を特定することができる。
【００１６】
また、前記決済端末において、前記入力部は、接続する前記上位端末に対応する認証情報と共に、前記所定のキーの入力を受け付け、前記制御部は、前記入力された認証情報が正しいか否かを判定し、正しい場合に前記上位端末との連動を開始するように制御するようにしてもよい。
【００１７】
この発明によれば、認証情報によって上位端末との連動を開始するように制御するため、端末の操作者が上位端末で指定した決済端末を特定した上で決済を開始するため、上位端末で指定した決済端末とは異なる決済端末で決済されることを防止できる。
【００１８】
また、前記決済端末において、前記制御部は、入力された前記認証情報が正しくなかった場合、正しい前記認証情報の入力を促す情報を表示部に表示するように制御するようにしてもよい。
【００１９】
この発明によれば、認証情報が誤っていた場合に再入力を促すことで、端末の操作者が上位端末で指定した決済端末を誤認したとしても、改めて上位端末の認識情報を特定した上で決済を開始するため、上位端末で指定した決済端末とは異なる決済端末で決済されることを防止できる。
【００２０】
また、前記決済端末において、前記上位端末との通信が開始されてから、前記上位端末との連動が開始されるまで、前記上位端末に関する情報を前記表示部の画面に表示するようにしてもよい。
【００２１】
この発明によれば、上位端末に関する情報を連動が開始するまで表示することで、端末の操作者がいずれの上位端末と接続したのかを確認した上で決済を開始することができるため、上位端末で指定した決済端末とは異なる決済端末で決済されることを防止できる。
【００２２】
また、本発明に係る決済処理システムは、金額を決定する複数の上位端末と、前記上位端末のいずれかと通信により接続して前記決定された金額の決済に関する処理を行う複数の決済端末と、決済を実行する情報処理センタとを備える決済処理システムであって、前記決済端末は、前記上位端末との接続の確認を促す情報を画面に表示する表示部と、前記接続に対する所定のキーの入力を受け付ける入力部と、前記所定のキーの入力に基づいて前記上位端末との連動を開始するように制御する制御部と、を備える。
【００２３】
この発明によれば、上位端末との接続の確認を促す情報を画面に表示することにより、上位端末と接続した決済端末を、端末の操作者が識別及び確認した上で決済端末の連動を開始するため、上位端末で指定した決済端末とは異なる決済端末で決済されることを防止できる。
【００２４】
また、本発明のプログラムは、コンピュータを、本発明の決済端末の各部として機能させるためのプログラムである。
【００２５】
この発明によれば、上位端末との接続の確認を促す情報を画面に表示することにより、上位端末と接続した決済端末を、端末の操作者が識別及び確認した上で決済端末の連動を開始するため、上位端末で指定した決済端末とは異なる決済端末で決済されることを防止できる。
【発明の効果】
【００２６】
本発明によれば、上位端末で指定した決済端末とは異なる決済端末で決済されることを防止できる。
【図面の簡単な説明】
【００２７】
【図１】本発明の実施の形態に係る決済処理システムの一例を示す図であり、同一店舗内に複数台の上位端末と複数台の決済端末が存在する場合の一例を示す図である。
【図２】本発明の実施の形態に係る上位端末の構成を示すブロック図である。
【図３】本発明の実施の形態に係る決済端末の構成を示すブロック図である。
【図４】本発明の実施の形態に係る情報処理センタの構成を示すブロック図である。
【図５】本発明の第１の実施の形態に係る決済処理システムにおける決済処理ルーチンを示すシーケンス図である。
【図６】上位端末と決済端末との連動状況に応じた決済端末の画面表示の一例を示す図である。
【図７】本発明の第２の実施の形態に係る決済処理システムにおける決済処理ルーチンを示すシーケンス図である。
【図８】上位端末と決済端末との認証に関する画面表示の一例を示す図である。
【図９】本発明の第３の実施の形態に係る決済処理システムにおける決済処理ルーチンを示すシーケンス図である。
【図１０】同一店舗内に一台の上位端末と一台の決済端末が存在する場合の決済処理システムの一例を示す図である。
【発明を実施するための形態】
【００２８】
以下、図面を参照して本発明の実施の形態を詳細に説明する。
【００２９】
＜本発明の第１の実施の形態＞
本発明の第１の実施の形態に係る決済処理システムの構成について説明する。図１に示すように、本発明の第１の実施の形態に係る決済処理システム１００は、機能的には図１に示すように、複数の上位端末１２と、複数の決済端末１４とが同一店舗内でＷｉ−Ｆｉ（登録商標）やＢｌｕｅｔｏｏｔｈ（登録商標）といった無線通信により接続され、決済端末１４が無線通信によりインターネット等のネットワーク３を介して情報処理センタ１６と接続される。以下では、複数の上位端末１２のうちの一つの上位端末１２、複数の決済端末１４のうちの一つの決済端末１４について説明する。
【００３０】
上位端末１２は、クレジットやデビッドの売上、取消といった業務内容の選択や、顧客の商品の金額等の取引内容を入力するＰＯＳ端末等の装置である。また、上位端末１２は、店舗内、又は本社等に設置されている管理サーバ（図示省略）と接続され通信が可能となっている。
【００３１】
決済端末１４は、上位端末１２のいずれかと無線通信により接続して決済に関する処理を行う装置である。例えば、クレジットカードやデビットカード、電子マネーに対応したＩＣカードなどのカード情報を読み取って決済に関する決済情報を取得する。また、決済端末１４は、上位端末１２と連動した際に、上位端末に対応付けられた音が報知される。また、音を報知した際に確認キーの入力が促され、確認キーが入力される。また、決済端末１４は、商品に係る決済前に実行キーが入力される。また、決済端末１４は、決済された伝票の印字を行う。なお、確認キーが所定のキーの一例である、また、確認キーや実行キーは同一のものであってもよい。また、所定のキーは、確認キーという固定のキーではなく、別途、ボタンやキーを用意してもよい。
【００３２】
図２は、本実施の形態における上位端末１２の構成を示すブロック図である。図２に示すように、上位端末１２は、制御部２０２と、記憶部２０４と、通信部２０６と、表示部２０８と、入力部２１０と、スピーカ部２１２と、プリンタ部２１４とを含んで構成される。
【００３３】
制御部２０２は、ＣＰＵ（Central Processing Unit）を備え、上位端末１２全体を制御する。記憶部２０４は、ＲＡＭ（Random Access Memory）やＲＯＭ（Read Only Memory）を備え、種々の情報を記憶する。例えば、記憶部２０４は、自端末の個体識別番号や、店舗内での自端末のレジ番号、端末使用者の使用者ＩＤなどの必要な情報を記憶する。個体識別番号は、上位端末１２に割り振られている固有の番号、又はアルファベットなどの記号により構成されるＩＤである。レジ番号は、店舗内で割り振られた連番の番号、又はアルファベットなどの記号により構成されるＩＤである。使用者ＩＤは、上位端末１２を使用する端末使用者に対して予め登録されたＩＤである。個体識別番号、レジ番号、又は使用者ＩＤを上位端末ＩＤとして使用する。通信部２０６は、Ｗｉ−Ｆｉ等の無線通信により、決済端末１４と通信する。表示部２０８は、ＬＣＤ（Liquid Crystal Display）であり、種々の情報を表示する。入力部２１０は、金額の入力や端末使用者の認証キーなどを受け付ける。スピーカ部２１２は、通知などの音やアナウンスなどの音声を出力するスピーカである。プリンタ部２１４は伝票を印字するプリンタである。
【００３４】
図３は、本実施の形態における決済端末１４の構成を示すブロック図である。図３に示すように、決済端末１４は、制御部３０２と、記憶部３０４と、通信部３０６と、カード読取部３０８と、表示部３１０と、入力部３１２と、ブザー部３１４と、プリンタ部３１６とを含んで構成される。
【００３５】
制御部３０２は、ＣＰＵを備え、決済端末１４全体を制御する。記憶部３０４は、上位端末１２から受け付けた上位端末ＩＤを記憶する。また、記憶部３０４は、決済に関わるカード情報などを一時的に記憶する。カード情報は、例えば、クレジットカードやデビットカード、ＩＣカードのカード番号、及び暗証番号などである。また、記憶部３０４は、上位端末ＩＤに対応した音を上位端末ＩＤごとに記憶する。音は、例えばブザー音、メロディ、又は音声を記憶する。通信部３０６は、Ｗｉ−Ｆｉ等の無線通信により、上位端末１２、及び情報処理センタと通信する。カード読取部３０８は、クレジットカードからカード情報を読み取る磁気カードリーダやＩＣカードリーダなどの読取部である。表示部３１０は、ＬＣＤであり、種々の情報を表示する。表示部３１０が表示する情報は、例えば、上位端末１２との連動状況や、上位端末１２の個体識別番号である上位端末ＩＤなどである。入力部３１２は、暗証番号を入力するための、数字や記号を表すボタンや確認キー、実行キーなどを入力するキーパッドである。ブザー部３１４は、通知などの音やアナウンスなどの音声を出力するブザー、又はスピーカである。ブザー部３１４は、上位端末１２との接続状況に応じて、例えば上位端末１２と接続されたことを知らせる音を報知する。また、報知する音は、記憶部３０４に記憶されている上位端末１２に対応する音（例えば、ブザー音、メロディ、音声など）を用いてもよい。プリンタ部３１６は、購入商品に係る伝票を印字するプリンタである。また、プリンタ部３１６での印字内容を、上位端末１２に送信し、プリンタ部２１４で印字することも可能である。なお、上位端末を特定するための情報の一例が上位端末ＩＤである。また、報知部の一例がブザー部３１４である。
【００３６】
情報処理センタ１６は、決済端末１４から決済要求を受け付け、決済を実行するサーバ装置である。
【００３７】
図４は、本実施の形態における情報処理センタ１６の構成を示すブロック図である。図４に示すように、情報処理センタ１６は、通信部４０２と、決済端末認証部４０４と、決済情報管理部４０６と、決済端末メンテナンス部４０８と、カード決済サービスセンタ中継部４１０とを備える。
【００３８】
通信部４０２は、ネットワーク３を介して決済端末１４と通信する。決済端末認証部４０４は、ＩＤやパスワード等を用いて決済端末１４を認証する。決済情報管理部４０６は、決済端末１４から受信したカード情報に基づいて決済処理を実行する。カード情報は、例えば、カード番号、及び暗証番号といった決済に必要な情報である。決済端末メンテナンス部４０８は、情報処理センタ１６にアクセスする決済端末１４のメンテナンスを行う。例えば、決済端末メンテナンス部４０８は、メンテナンスとして、不正操作した決済端末１４を一時的に利用不可にする。カード決済サービスセンタ中継部４１０は、クレジットカード会社等のサーバ装置と接続してクレジットカードによる決済処理を実行する。
【００３９】
次に、本発明の第１の実施の形態の処理シーケンスについて図５を参照して説明する。なお、以下の処理シーケンスでは、複数の上位端末１２のうちの一つの上位端末と、複数の決済端末１４のうちの一つの決済端末とが通信するものとして説明する。
【００４０】
まず、Ｓ１００で、上位端末１２は、入力部２１０で金額の入力を受け付ける。ここでは、バーコード等で読み込まれた金額が自動的に入力されるものとする。
【００４１】
Ｓ１０２で、上位端末１２は、クレジット売上等の決済種別の選択を受け付ける。決済種別は、現金、クレジットカード、デビットカード、及び電子マネーのＩＣカードなどを選択でき、本実施の形態では、クレジットカードを選択したものとする。
【００４２】
Ｓ１０３で、上位端末１２は、連動する決済端末１４を指定する。
【００４３】
なお、Ｓ１０３における決済端末１４を指定する方法については、上位端末１２において、その時使用可能な決済端末１４の識別情報を表示させ従業員に選択させる方法や、上位端末１２において連動対象となる複数台分の決済端末１４の識別情報を優先順位と共に記憶しておき、その優先順位に応じて、決済端末１４の中から現在使用可能な決済端末１４を自動的に指定する方法等が考えられるが、どのような方法を採用してもよい。また、上位端末１２において、連動開始要求の直前、又は送信後のタイミングで、上位端末１２の表示部２０８の画面において、例えば「接続中  決済端末ＩＤｘｘｘ」のような表示をさせてもよい。
Ｓ１０４で、上位端末１２は、Ｓ１０３で指定した決済端末１４へ、連動開始要求を送信する。この際、上位端末ＩＤを決済端末１４に通知する。
【００４４】
Ｓ１０６で、決済端末１４は、別の上位端末１２と連動していない状態であれば、ブザー部３１４により、上位端末１２と接続されたことを知らせる音を報知すると共に、表示部３０８の画面に、接続の確認を促す情報を表示する。音による報知がされていることは、例えば、図６（Ｂ）に示すように、接続中、上位端末ＩＤの表示と共に、上位端末１２に対応する音が報知されていることを「★★★★★」といった記号で表す。また、接続の確認を促す情報は、「確認キーをどうぞ。」といった表示を表示部３１０の画面に表示する。「★★★★★」の表示は上位端末１２に対応する音ごとに異なっていてもよく「●●●●●」や「▲▲▲▲▲」でもよい。なお、決済端末１４は、別の上位端末１２と連動している状態であれば、連動開始応答をしないものとする。そのため上位端末１２は、連動開始応答が無ければ、他の決済端末１４を指定して連動開始要求を送信する。また、決済端末１４は、上位端末１２との連動が開始されるまでは、図６（Ａ）に示すような待機中の表示を表示部３１０の画面に表示している。
【００４５】
Ｓ１０８で、決済端末１４は、入力部３１２にある確認キーの入力を受け付ける。決済端末１４は確認キーの入力を受け付けることにより音を停止し、上位端末１２との連動を開始する。
【００４６】
Ｓ１１０で、決済端末１４は、上位端末１２に連動開始応答をする。
【００４７】
Ｓ１１２で、決済端末１４は、図６（Ｃ）に示すような連動中の文字を表示部３１０の画面に表示する。なお、以下、連動が終了するまで、画面にＳ１０４で通知された上位端末ＩＤを表示させてもよい。
【００４８】
Ｓ１１４で、上位端末１２は、決済端末１４に決済開始要求を送信する。
【００４９】
Ｓ１１６で、決済端末１４は、取引開始画面として、図６（Ｄ）に示すように、取引開始の表示を表示部３１０の画面に表示し、取引開始を実行させるよう、処理を促す。
【００５０】
Ｓ１１８で、決済端末１４は、カード読取部３０８により、クレジットカードのカード情報を読み取る。
【００５１】
Ｓ１２０で、決済端末１４は、入力部３１２からカード利用者が暗証番号を入力操作することにより、カード情報としてクレジットカードの暗証番号を受け付ける。
【００５２】
Ｓ１２２で、決済端末１４は、情報処理センタ１６にカード情報を含む決済要求を送信する。
【００５３】
Ｓ１２４で、情報処理センタ１６は、カード情報に基づいて、決済処理を実行する。決済処理は、情報処理センタ１６がカード会社のサーバ装置（図示省略）と通信して、カード情報に基づいて決済処理が行われる。
【００５４】
Ｓ１２６で、情報処理センタ１６は、決済端末１４に決済端末に決済応答を送信する。
【００５５】
Ｓ１２８で、決済端末１４は、購入商品に係る決済の伝票印字を実行する。なお、伝票印字を上位端末１２側で実行する場合は、決済応答を上位端末１２に通知し、上位端末１２側で伝票印字を実行する。
【００５６】
Ｓ１３０で、決済端末１４から上位端末１２へ決済完了応答を送信する。
【００５７】
Ｓ１３２で、決済端末１４は、連動中画面として、図６（Ｅ）に示すような連動中の表示を表示部３１０の画面に表示する。
【００５８】
Ｓ１３４で、上位端末１２から決済端末１４へ終了要求を送信する。
【００５９】
Ｓ１３６で、決済端末１４から上位端末１２へ終了応答を送信し、上位端末１２との連動状態を解除する。また、上位端末１２との連動が解除されたことにより、図６（Ｆ）に示すような待機中の表示に表示部３１０の画面が切り替わる。
【００６０】
以上説明したように、本発明の第１の実施の形態に係る決済処理システムによれば、上位端末との接続状況に応じて、上位端末に対応する音を報知する。これにより、複数の上位端末と、複数の決済端末とが同一店舗内にある構成において、上位端末と決済端末の接続関係を特定することができる。このように端末の操作者が、接続された上位端末を決済端末の音によって識別及び確認できる。これにより、上位端末で指定した決済端末とは異なる決済端末で決済されることを防止できる。
【００６１】
＜本発明の第２の実施の形態＞
本発明の第２の実施の形態に係る決済処理システムについて説明する。なお、第２の実施の形態の構成は上記図１に示す第１の実施の形態と同様であるため説明を省略する。
【００６２】
第２の実施の形態では、確認キーの入力だけでなく、認証データを用いた認証を行う点が第１の実施の形態と異なっている。
【００６３】
第２の実施の形態の処理シーケンスについて図７を参照して説明する。なお、第１の実施の形態と同様となる箇所については同一符号を付して説明を省略する。
【００６４】
Ｓ１０４で、上位端末１２は、連動する決済端末１４を上位端末１２で指定し、指定した決済端末１４へ、連動開始要求を送信すると、以下のＳ２００を開始する。
【００６５】
Ｓ２００で、決済端末１４は、別の上位端末１２と連動していない状態であれば、決済端末１４は、表示部３０８の画面に、認証データの入力を促す情報を画面に表示する。認証情報は、例えば、図８（Ａ）に示すように、接続中、上位端末ＩＤの表示と共に、「認証データ入力後、確認キーをどうぞ。」といった認証データの入力を促す表示を表示部３１０の画面に表示する。
【００６６】
Ｓ２０２で、決済端末１４は、入力部３１２のキーパッドから認証データの入力、及び認証データの入力に対する確認キーの入力を受け付ける。認証データは、入力部３１０のキーパッドにより入力可能な数字、記号である。なお、認証データが認証情報の一例である。
【００６７】
Ｓ２０４で、決済端末１４は、Ｓ２０２で受け付けた認証データが正しいかを判定し、正しい場合にはＳ２０６へ移行し、正しくない場合にはＳ２０８へ移行する。
【００６８】
Ｓ２０６では、決済端末１４は、認証が成功したことを表示部３１０の画面に表示し、Ｓ１１０に移行する。認証の成功は、例えば図８（Ｂ）に示すように、「認証ＯＫ」といった表示を表示部３１０の画面に表示する。
【００６９】
Ｓ２０８で、決済端末１４は、認証が失敗したことを表示部３１０の画面に表示し、Ｓ２０２に移行する。認証の失敗は、例えば図８（Ｃ）に示すように、「認証エラー」の表示と共に認証データの再入力を促す表示を表示部３１０の画面に表示する。
【００７０】
なお、第２の実施の形態の他の作用については第１の実施の形態と同様であるため、詳細な説明を省略する。
【００７１】
以上説明したように、本発明の第２の実施の形態に係る決済処理システムによれば、上位端末の認証データの入力を受け付ける。これにより、複数の上位端末と、複数の決済端末とが同一店舗内にある構成において、端末の操作者が上位端末で指定した決済端末を認証によって特定した上で決済を開始できる。このように端末の操作者が能動的に決済端末の認識を行うシーンを設けることで確実に決済端末を特定することが可能となる。これにより、上位端末で指定した決済端末とは異なる決済端末で決済されることを防止できる。
【００７２】
＜本発明の第３の実施の形態＞
本発明の第３の実施の形態に係る決済処理システムについて説明する。なお、第３の実施の形態の構成は上記図１に示す第１の実施の形態と同様であるため説明を省略する。
【００７３】
第３の実施の形態では、上位端末１２との接続を、音による報知の確認後に、認証データを用いた認証を行う点が第１及び第２の実施の形態と異なっている。
【００７４】
第３の実施の形態の処理シーケンスについて図９を参照して説明する。なお、第１の実施の形態と同様となる箇所については同一符号を付して説明を省略する。
【００７５】
Ｓ１０４で、上位端末１２は、連動する決済端末１４を上位端末１２で指定し、指定した決済端末１４へ、連動開始要求を送信すると、以下のＳ３００を開始する。
【００７６】
Ｓ３００で、決済端末１４は、別の上位端末１２と連動していない状態であれば、決済端末１４は、別の上位端末１２と連動していない状態であれば、決済端末１４は、ブザー部３１４により、上位端末１２と接続されたことを知らせる音を報知すると共に、表示部３０８の画面に、接続の確認を促す情報を表示する。表示する内容は上記図６（Ｂ）と同様である。
【００７７】
Ｓ３０２で、決済端末１４は、入力部３１２にある確認キーの入力を受け付ける。決済端末は確認キーの入力を受け付けることにより音を停止し、Ｓ３０４へ移行する。
【００７８】
Ｓ３０４で、決済端末１４は、表示部３０８の画面に、認証データの入力を促す情報を画面に表示し、Ｓ２０２へ移行する。表示する内容は上記図８（Ａ）と同様である。
【００７９】
以上説明したように、本発明の第３の実施の形態に係る決済処理システムによれば、上位端末との接続状況に応じて音を報知すると共に、上位端末の認証データの入力を受け付ける。これにより、複数の上位端末と、複数の決済端末とが同一店舗内にある構成において、上位端末と決済端末の接続関係を特定し、かつ、端末の操作者が上位端末で指定した決済端末を認証によって特定した上で決済を開始できる。このように端末の操作者が、接続された上位端末を決済端末の音によって識別及び確認できると共に、端末の操作者が能動的に決済端末の認識を行うシーンを設けることで確実に決済端末を特定することが可能となる。これにより、上位端末で指定した決済端末とは異なる決済端末で決済されることを防止できる。
【００８０】
なお、本発明は、上述した各実施の形態に限定されるものではなく、この発明の要旨を逸脱しない範囲内で様々な変形や応用が可能である。
【００８１】
例えば、上述した各実施の形態では、決済処理システムにおいて、上位端末と決済端末とが無線通信により接続される場合について説明したが、有線により接続されている場合も同様に本発明の実施の形態の手法を適用できる。有線の配線が入り組んでいるような店舗において、上位端末と接続したことに対する確認を促すことにより、上位端末で指定した決済端末とは異なる決済端末で決済されることを防止できる。
【００８２】
また、例えば、決済処理システムにおいて、上位端末が３台以上、決済端末が２台などの限られた数であって、上位端末同士が無線で接続し、決済端末が特定の上位端末と有線で接続される場合も想定される。このように決済端末を共有して使用する場合においても、本発明の実施の形態の手法を適用し、上位端末と接続したことに対する確認を促すことにより、上位端末で指定した決済端末とは異なる決済端末で決済されることを防止できる。
【００８３】
また、第２及び第３の実施の形態の決済処理システムにおいては、都度、認証データの入力を求める場合について記載したが、これに限定されるものではない。例えば、認証データの入力を求める対象を特定の使用者ＩＤの操作者だけに限定してもよい。この場合には、指定された使用者ＩＤで上位端末を操作している場合にのみ、決済端末で認証データの入力を求めるようにすればよい。これにより、操作者の権限に応じて確認操作のバリエーションを設けることができる。
【００８４】
また、第３の実施の形態の決済処理システムにおいて、例えば、一定期間の間にＳ３０２の確認キーの入力がされなかった（例えば２０秒以上など）場合に、Ｓ３０４の認証データの入力を求めるようにしてもよい。これにより、端末の操作者の端末の認識が不明確な場合について、認証を求めるようにすることができる。
【符号の説明】
【００８５】
３     ネットワーク
１２   上位端末
１４   決済端末
１６   情報処理センタ
１００ 決済処理システム
２０２、３０２       制御部
２０４、３０４       記憶部
２０６、３０６、４０２      通信部
２０８、３１０       表示部
２１０、３１２       入力部
２１２ スピーカ部
２１４、３１６       プリンタ部
３０８ カード読取部
３１４ ブザー部
４０４ 決済端末認証部
４０６ 決済情報管理部
４０８ 決済端末メンテナンス部
４１０ カード決済サービスセンタ中継部
【図１】
2019152982.tif 000003
【図２】
2019152982.tif 000004
【図３】
2019152982.tif 000005
【図４】
2019152982.tif 000006
【図５】
2019152982.tif 000007
【図６】
2019152982.tif 000008
【図７】
2019152982.tif 000009
【図８】
2019152982.tif 000010
【図９】
2019152982.tif 000011
【図１０】
2019152982.tif 000012